(57)【要約】【課題】適切に設置及び撤去が可能な漏水受け具を提供する。【解決手段】天井１００に取り付けられて用いられ、その天井１００からの漏水を受けることが可能な漏水受け具であって、漏水を受けることが可能な受け部２０と、受け部２０に設けられ、天井１００に取り付けることが可能な取付部３０と、を備える。受け部２０は、排水路４０を介して既設の排水管２００に設けられた通孔２０１に接続される。排水路４０は、設置及び撤去が容易な保持具により保持される。排水路４０が取り外された場合には、排水管２００の外部と内部との通行２０１を介した連通は、遮断手段により遮断される。【選択図】図１
2020165139.tif 000002
【特許請求の範囲】
【請求項１】
天井からの漏水を受けることが可能な受け部が前記天井に取り付けられており、
前記受け部が受けた前記漏水を前記受け部から排出可能に、前記受け部に排水路が接続されており、
前記排水路を保持可能な保持具が構造物に対して吸盤により取り付けられており、
前記排水路が前記保持具により保持されている、漏水受け構造。
【請求項２】
天井からの漏水を受けることが可能な受け部が前記天井に取り付けられており、
前記受け部が受けた前記漏水を前記受け部から排出可能に、前記受け部に排水路が接続されており、
前記排水路を保持可能な保持具が構造物に対して取り付けられており、
前記保持具の少なくとも一部が前記構造物に取り付けられた状態で前記排水路が取り外し可能に、前記排水路が前記保持具に保持されている、漏水受け構造。
【請求項３】
前記保持具は、
前記構造物に取り付けられる基部と、
前記基部に対して取り付けられ、前記排水路を保持可能な保持部と、を備え、
前記保持部は、前記基部が前記構造物に取り付けられている状態で、前記基部から取り外し可能である、請求項２に記載の漏水受け構造。
【請求項４】
前記保持具は、
前記構造物に対して貼着されたシートと、
前記シートに対して取り外し可能に取り付けられている、前記排水路を保持可能な保持部と、を備える、請求項２に記載の漏水受け構造。
【請求項５】
天井からの漏水を受けることが可能な受け部を有する漏水受け具に接続され、前記受け部が受けた前記漏水を排出可能とする排水路に対して使用される排水路保持具であって、
排水路を保持可能な保持部と、
前記保持部に取り付けられ、構造物に対して吸着可能な吸盤と、を備える、排水路保持具。
【請求項６】
天井からの漏水を受けることが可能な受け部を有する漏水受け具に接続され、前記受け部が受けた前記漏水を排出可能とする排水路に対して使用される排水路保持具であって、
構造物に対して貼着可能なシートと、
前記シートに対して取り外し可能に取り付けることができる、排水路を保持可能な保持部と、を備える、排水路保持具。
【請求項７】
天井に取り付けられて用いられ、その天井からの漏水を受けることが可能な漏水受け具であって、
前記漏水を受けることが可能な受け部と、
前記天井に貼着可能な貼着面を有するシートと、
前記受け部に設けられ、シートに対して取り外し可能に取り付けることができる取付部と、を備える、漏水受け具。
【請求項８】
前記排水路が、予め設けられた排水管に形成されている通孔に着脱可能に接続されており、前記排水路が前記通孔から取り外された場合に、前記排水管の内部と外部との前記通孔を介した連通を遮断手段により遮断可能である、請求項１〜４のいずれか１項に記載の漏水受け構造。
【請求項９】
天井に取り付けられて用いられ、前記天井からの漏水を受けることが可能な受け部と、
一端側が前記受け部に接続され、他端側が予め設けられた排水管に形成されている通孔に着脱可能に接続され、前記受け部が受けた前記漏水を前記排水管へ導入可能な排水路と、
前記排水路の前記他端側が前記通孔から取り外された場合に、前記排水管の内部と外部との前記通孔を介した連通を遮断可能な遮断手段と、を備える、漏水受け具。
【請求項１０】
前記遮断手段は、前記排水路が接続されていない場合に限り前記連通を遮断する、請求項９に記載の漏水受け具、
【請求項１１】
前記排水路は、前記通孔に取り付けられた接続具を介して接続され、
前記遮断手段は前記接続具に取り付けられることで前記連通を遮断する、請求項９又は１０に記載の漏水受け具。
【請求項１２】
前記排水路は、前記通孔に取り外し可能に取り付けられた接続具を介して接続され、
前記遮断手段は前記接続具とは別体として設けられている、請求項９又は１０に記載の漏水受け具。
【請求項１３】
前記排水路を保持可能な保持部と、
前記保持部に取り付けられ、構造物に対して吸着可能な吸盤と、をさらに備える、請求項９〜１２のいずれか１項に記載の漏水受け具。
【請求項１４】
前記排水路を保持可能な保持具をさらに備え、
前記保持具は、その保持具の少なくとも一部が前記構造物に取り付けられた状態で前記排水路を取り外し可能である、請求項９〜１２のいずれか１項に記載の漏水受け具。
【請求項１５】
天井からの漏水を受けることが可能な受け部を天井に取り付ける工程と、
予め設けられた排水管における、その排水管に予め形成されている通孔を介した外部と内部との連通を、遮断状態から開放状態にする工程と、
前記受け部に一端が取り付けられ前記受け部が受けた前記漏水を通過させる排水路の他端を、前記通孔に接続する工程と、を有する、漏水の排水路形成方法。
【請求項１６】
天井からの漏水を受けることが可能な受け部を天井に取り付ける工程と、
受け部に取り付けられる排水路を保持可能であり、吸盤を備える保持具を、建造物の壁又は天井に吸着固定する工程と、
前記排水路を前記受け部に取り付け、その排水路を前記保持具に保持させる工程と、を有する、漏水の排水路形成方法。
【請求項１７】
前記受け部を前記天井に取り付ける工程では、前記受け部を吸盤により前記天井に取り付ける、請求項１５又は１６に記載の排水路形成方法。
【発明の詳細な説明】
【技術分野】
【０００１】
本発明は、天井の漏水箇所に取り付けられて用いられる漏水受け具に関する。
【背景技術】
【０００２】
従来、地下街や地下道等の天井で漏水が生じている場合に、その漏水を受ける漏水受け具を取り付けることが行われている。このような漏水受け具として、特許文献１や特許文献２に記載の漏水受け具がある。特許文献１に記載の漏水受け具では、粘着テープを用いたり、天井に取り付けた金具等を用いたりすることで、漏水を受ける受け部を天井に固定し、その受け部にホース等の排水部材を接続し、バケツや既存の排水路へ排水可能としている。また、特許文献２に記載の漏水受け具では、床面と天井とを複数の棒で繋ぎ、その棒で囲まれた領域に水の通路を設けることで、漏水を排水している。
【先行技術文献】
【特許文献】
【０００３】
【特許文献１】実開平６−７１６６９号
【特許文献２】特開２００８−２８５９７９号公報
【発明の概要】
【発明が解決しようとする課題】
【０００４】
特許文献１に記載の漏水受け具では、粘着テープや金具等の設置及び撤去や、排水に使用するホースの取り回し、さらにはバケツの配置場所の確保といった様々な問題が生ずる。また、特許文献２に記載の漏水受け具では、排水を床に流して排水溝へ至らせるものであるため、漏水箇所から排水溝までの床が濡れ、歩行者の通行の妨げになるといった問題が生ずる。
【０００５】
本発明は、上記課題を解決するためになされたものであり、その主たる目的は、適切に設置及び撤去が可能な漏水受け具、漏水受け構造、排水路保持具、漏水の排水路形成方法を提供することにある。
【課題を解決するための手段】
【０００６】
第１の構成は、漏水受け構造であって、天井からの漏水を受けることが可能な受け部が前記天井に取り付けられており、前記受け部が受けた前記漏水を前記受け部から排出可能に、前記受け部に排水路が接続されており、前記排水路を保持可能な保持具が構造物に対して吸盤により取り付けられており、前記排水路が前記保持具により保持されている。
【０００７】
第１の構成では、排水路を撤去する場合に、吸盤を構造物から取り外すことで排水路を保持している保持具を取り外すことが可能であるため、排水路の撤去を容易に行うことができる。
【０００８】
第２の構成は、漏水受け構造であって、天井からの漏水を受けることが可能な受け部が前記天井に取り付けられており、前記受け部が受けた前記漏水を前記受け部から排出可能に、前記受け部に排水路が接続されており、前記排水路を保持可能な保持具が構造物に対して取り付けられており、前記保持具の少なくとも一部が前記構造物に取り付けられた状態で前記排水路が取り外し可能に、前記排水路が前記保持具に保持されている。
【０００９】
第２の構成では、排水路を撤去する場合に排水路を保持具から取り外せばよいため、排水路の撤去が容易になる。また、漏水のおそれがある箇所の近傍に予め保持具を取り付けておいたり、漏水が収束した場合に保持具を構造物に取り付けたままにしておいたりすることで、漏水が発生した場合に、素早く排水路を設置可能となる。
【００１０】
第３の構成は、第２の構成に加えて、前記保持具は、前記構造物に取り付けられる基部と、前記基部に対して取り付けられ、前記排水路を保持可能な保持部と、を備え、前記保持部は、前記基部が前記構造物に取り付けられている状態で、前記基部から取り外し可能である。
【００１１】
第３の構成では、排水路を撤去する場合に保持部を基部から取り外せばよいため、排水路の撤去が容易になる。また、漏水のおそれがある箇所の近傍に予め基部を取り付けておいたり、漏水が収束した場合に基部を構造物に取り付けたままにしておいたりすることで、漏水が発生した場合に、素早く排水路を設置可能となる。
【００１２】
第４の構成は、第２の構成に加えて、前記保持具は、前記構造物に対して貼着されたシートと、前記シートに対して取り外し可能に取り付けられている、前記排水路を保持可能な保持部と、を備える。
【００１３】
第４の構成では、排水路を撤去する場合に保持部をシートから取り外せばよいため、排水路の撤去が容易になる。また、漏水のおそれがある箇所の近傍に予めシートを張り付けておいたり、漏水が収束した場合にシートを構造物に貼り付けたままにしておいたりすることで、漏水が発生した場合に、素早く排水路を設置可能となる。
【００１４】
第５の構成は、天井からの漏水を受けることが可能な受け部を有する漏水受け具に接続され、前記受け部が受けた前記漏水を排出可能とする排水路に対して使用される排水路保持具であって、排水路を保持可能な保持部と、保持部に取り付けられ、構造物に対して吸着可能な吸盤と、を備える。
【００１５】
第５の構成の排水路保持具を用いることで、第１の構成の漏水受け構造を提供することができる。
【００１６】
第６の構成は、天井からの漏水を受けることが可能な受け部を有する漏水受け具に接続され、前記受け部が受けた前記漏水を排出可能とする排水路に対して使用される排水路保持具であって、構造物に対して貼着可能なシートと、前記シートに対して取り外し可能に取り付けることができる、排水路を保持可能な保持部と、を備える。
【００１７】
第６の構成の排水路保持具を用いることで、第４の構成の漏水受け構造を提供することができる。
【００１８】
第７の構成は、天井に取り付けられて用いられ、その天井からの漏水を受けることが可能な漏水受け具であって、前記漏水を受けることが可能な受け部と、前記天井に貼着可能な貼着面を有するシートと、前記受け部に設けられ、シートに対して取り外し可能に取り付けることができる取付部と、を備える。
【００１９】
第７の構成では、天井に凹凸があったりして取付部の形状によっては取付が困難な場合であっても、シートを張り付けることで、その取付部により天井に受け部を取り付けることができる。また、漏水のおそれがある箇所の近傍に予めシートを張り付けておいたり、漏水が収束した場合にシートを張り付けたままにしておいたりすることで、漏水が発生した場合に、素早く受け部を取り付けることができる。
【００２０】
第８の構成では、第１〜４のいずれかの構成に加えて、前記排水路が、予め設けられた排水管に形成されている通孔に着脱可能に接続されており、前記排水路が前記通孔から取り外された場合に、前記排水管の内部と外部との前記通孔を介した連通を遮断手段により遮断可能である。
【００２１】
第９の構成は、漏水受け具であって、天井に取り付けられて用いられ、前記天井からの漏水を受けることが可能な受け部と、一端側が前記受け部に接続され、他端側が予め設けられた排水管に形成されている通孔に着脱可能に接続され、前記受け部が受けた前記漏水を前記排水管へ導入可能な排水路と、前記排水路の前記他端側が前記通孔から取り外された場合に、前記排水管の内部と外部との前記通孔を介した連通を遮断可能な遮断手段と、を備える。
【００２２】
排水管に通孔を設ける場合、その通孔を開放することにより、排水管からの臭いが通行を介して外部へ漏れるおそれがある。この点、第８の構成及び第９の構成では、遮断手段を設けているため、排水管からの臭いの漏れを抑制することができる。
【００２３】
第１０の構成では、第９の構成に加えて前記遮断手段は、前記排水路が接続されていない場合に限り前記連通を遮断する。
【００２４】
第１０の構成では、排水路が接続されている場合には排水管への排水を滞りなく行うことができる。
【００２５】
第１１の構成では、排水路は、通孔に取り付けられた接続具を介して接続され、遮断手段は接続具に取り付けられることで連通を遮断する。
【００２６】
第１２の構成では、排水路は、通孔に取り外し可能に取り付けられた接続具を介して接続され、遮断手段は接続具とは別体として設けられている。
【００２７】
第１１の構成及び第１２の構成では、遮断手段の形状を接続具の形状に合わせておけばよいため、汎用性を向上させることができる。
【００２８】
第１３の構成では、第９〜１２のいずれかの構成に加えて、排水路を保持可能な保持部と、保持部に取り付けられ、構造物に対して吸着可能な吸盤と、をさらに備える。
【００２９】
第１３の構成では、第１の構成の効果を第９〜１２のいずれかの構成に付与することができる。
【００３０】
第１４の構成では、第９〜１２のいずれかの構成に加えて、排水路を保持可能な保持具をさらに備え、保持具は、その保持具の少なくとも一部が構造物に取り付けられた状態で排水路を取り外し可能である。
【００３１】
第１４の構成では、第２の構成の効果を第９〜１２のいずれかの構成に付与することができる。
【００３２】
第１５の構成は、漏水の排水路形成方法であって、天井からの漏水を受けることが可能な受け部を天井に取り付ける工程と、予め設けられた排水管における、その排水管に予め形成されている通孔を介した外部と内部との連通を、遮断状態から開放状態にする工程と、受け部に一端が取り付けられ受け部が受けた漏水を通過させる排水路の他端を、通孔に接続する工程と、を有する。
【００３３】
第１５の構成では、第９〜１４のいずれかの構成を有する漏水受け具を、適切に設置することができる。
【００３４】
第１６の構成は、漏水の排水路形成方法であって、天井からの漏水を受けることが可能な受け部を天井に取り付ける工程と、受け部に取り付けられる排水路を保持可能であり、吸盤を備える保持具を、建造物の壁又は天井に吸着固定する工程と、排水路を受け部に取り付け、その排水路を前記保持具に保持させる工程と、を有する。
【００３５】
第１６の構成では、第１の構成に関する受け構造を、適切に設置することができる。
【００３６】
第１７の構成では、第１５又は第１６の構成に加えて、受け部を天井に取り付ける工程では、受け部を吸盤により天井に取り付ける。
【００３７】
第１７の構成では、天井が漏水により濡れている場合でも、受け部を天井に取り付けることができる。
【図面の簡単な説明】
【００３８】
【図１】漏水受け具全体の構成を示す図である。
【図２】受け部の上側からの斜視図である。
【図３】受け部の下側からの斜視図である。
【図４】受け部の平面図である。
【図５】受け部の正面図である。
【図６】受け部の背面図である。
【図７】Ａ−Ａ線断面図である。
【図８】Ｂ−Ｂ線断面図である。
【図９】取付部を構成する吸盤及び雄ネジ部の斜視図である。
【図１０】取付部を構成する吸盤及び雄ネジ部の正面図である。
【図１１】取付部を構成するカバー部の斜視図である。
【図１２】取付部を構成するカバー部の正面図である。
【図１３】取付部全体の斜視図である。
【図１４】取付部全体の正面図である。
【図１５】受け部の漏水箇所への取り付け方を示す図である。
【図１６】接続具の斜視図である。
【図１７】接続具の平面図である。
【図１８】接続具を排水管の通孔に取り付けた状態を示す図である。
【図１９】接続具から排水路を取り外した場合を説明する図である。
【図２０】保持具について説明する図である。
【図２１】第２実施形態における受け部の漏水箇所への取り付け方を示す図である。
【発明を実施するための形態】
【００３９】
以下、各実施形態を図面に基づいて説明する。なお、以下の各実施形態相互において、互いに同一もしくは均等である部分には、図中、同一符号を付しており、同一符号の部分についてはその説明を援用する。
【００４０】
＜第１実施形態＞
本実施形態に係る漏水受け具１０は、図１に示すように、天井１００の漏水箇所に受け部２０が取り付けられ、受け部２０が天井１００からの漏水を受ける。受け部２０には、排水路４０の一端側が接続具５０を介して接続されており、受け部２０が受けた水はその排水路４０中を通過する。排水路４０の他端側は既設の排水管２００の側面に設けられた通孔２０１に接続具５０を介して接続されており、排水路４０中を通過した水は、排水管２００へと排水される。漏水受け具１０は、このように設置されることで、漏水受け構造として機能する。なお、排水路４０は、複数の円筒形のパイプ等をつなぎ合わせたものであり、周知のものであるため、具体的な説明は省略する。
【００４１】
まず、受け部２０の具体的な構造について、図２〜８を参照して説明する。この受部２０は、例えば、硬質の樹脂であるポリプロピレンで形成されている。受け部２０は、上面視にて角丸正方形である受け面２１を備えている。この受け面２１は厚みが均一であり、４辺のそれぞれから中央下方へ向けて傾斜している。受け面２１の中心には、上下方向について垂直に下方へ突出して設けられた円筒形の排出口２２が設けられている。この排出口２２の底には、縮径された内側フランジ２３が設けられている。
【００４２】
受け面２１の一対の辺の中心のそれぞれから排出口２２へ向けて、及び、４隅のそれぞれから排出口へ向けて、下方へ凹んだ排水溝２４が設けられている。この排水溝２４の断面形状は、長手方向及び幅方向においてが均一な矩形である。
【００４３】
受面２１の、排出口２２と、排水溝２４が設けられていない辺のそれぞれとの間には、上下方向について垂直に貫通した円筒状の取付孔２５が設けられている。この取付孔２５の上端には、縮径された内側フランジ２６が設けられている。受け面２１の外周の各辺には、各辺に沿って上方へ向けて垂直に起立した、厚み及び高さが均一な立設壁２７が設けられている。すなわち、受け面２１の平行な一対の辺に設けられた立設壁２７は、互いに平行な平面を構成しており、受面２１の角の部分に設けられた立設壁２７は、その角の形状に沿った曲面を構成している。この立設壁２７の上端には、外側へ向けて均一に拡幅された、厚みが均一なフランジ部２８が設けられている。
【００４４】
以上のように構成される受け部２０は、取付部３０により天井１００へ取り付けられる。この取付部３０の構造について、図９〜１４を参照して説明する。取付部３０は、塩化ビニールで形成された、中心が窪んだ円形の吸盤３１を備えている。この吸盤３１の外径は、受け部２０の取付孔２５に設けられた内側フランジ２６の内径よりも小さい。この吸盤３１の窪んだ側の反対側の中心には、円筒の側面に螺旋状の凸部が設けられた雄ネジ部３２が接続されている。
【００４５】
この取付部３０は、円筒形の筒部３３と、その筒部３３の一方の開口を共有し、その反対側の端には底よりも径の小さい開口を有する略円錐台筒状の円錐筒部３４と、筒部３３の他方の開口の周囲に拡径して設けられたフランジ部３５と、そのフランジ部３５の筒部３３側とは反対側に突出した円環状の環状凸部３６とを有するカバー部３７を備えている。フランジ部３５の外径は、受け部２０の取付孔２５の内径よりも小さく、且つ、その取付孔２５に設けられた内側フランジ２６の内径よりも大きい。環状凸部３６の外径は、吸盤３１の直径よりもやや小さい。また、円錐筒部３４の側面には、周方向に交互に連続する、軸方向に延びた凹凸が設けられている。カバー部３７の円錐筒部３４における小径側の開口近傍には、縮径された内側フランジ３８が設けられており、その内側フランジ３８の内周面には、螺旋状に連続する雌ネジ部３９が形成されている。その雌ネジ部３９の径は雄ネジ部３２の螺旋状の凸部と係合する径である。
【００４６】
以上のように構成される取付部３０を用いて、天井１００への受け部２０の取り付け方について図１５を参照して説明する。まず、吸盤３１に接続された雄ネジ部３２を、受け部２０の取付孔２５に通す。続いて、カバー部３７を取付孔２５に下側から入れ、雄ネジ部３２を雌ネジ部３９に係合させて、カバー部３７を回転させる。カバー部３７を回転させることでカバー部３７は上昇し、フランジ部３５が内側フランジ２５の下面に当接し、環状凸部３６が吸盤３１に当接する。フランジ部３５が内側フランジ２５の下面に当接し、環状凸部３６が吸盤３１に当接した時点で、カバー部３７の回転を一旦停止し、受け部２０の上面が天井１００の漏水箇所１０１に対向するようにして、吸盤３１を天井１００に吸着させる。そして、カバー部３７をさらに回転させると、その回転に伴って雄ネジ部３２が雌ネジ部９に引き込まれ、吸盤３１がカバー部３７側へと引っ張られる。これにより、吸盤３１と天井１００との間の体積が大きくなってその空間の気圧が低下し、吸盤３１の吸着力が向上して、天井１００に受け部２０を取り付けることができる。
【００４７】
排水路４０の受け部２０に接続される側、及び、排水管の通孔に接続される側のそれぞれは、接続具５０を介して接続される。この接続具５０は公知のものであるため、詳細な形状を省略しつつ、図１６及び１７を参照して説明する。なお、本実施形態において、接続具５０は、角筒形の排水管２００の側面に設けられた円形の通孔２０１に取り付けるものとして説明する。
【００４８】
接続具本体５１は、全体が略円筒状であり、その一部の外形は、接続される排水路４０の内径と略等しい。また、接続具本体５１の長手方向の中央近傍の外周面には、外周面から隆起して周方向に旋回する螺旋状であるネジ部（図示せず）が設けられている。また、排水路４０に接続される側とは反対側の端部には、拡径されたフランジが設けられている。
【００４９】
ナット体５２は、全体の形状が接続具本体５１よりも短い円筒形であり、内面には、接続具本体５１のネジ部と係合する内ネジ部（図示せず）が設けられている。スペーサ体５３は、軸方向に延びる円筒状であり、一方の端部には、拡径されたフランジが設けられている。止水体５４は、弾性を有しており、円筒形である。
【００５０】
以上のように構成される接続具５０は、図１８に示すように、排水管２００の内部に止水体５４が位置するようにして、ナット体５２を回してスペーサ体５３を排水管２００の通行２０１の周囲に押し付けることで、取り付けられる。この接続具５０から排水路４０が取り外された場合、図１９に示すように、接続具５０の接続具本体５１には有底筒状の栓５５が取り付けられる。この栓５５は、接続具５０に取り付けられる排水路４０と内径が略等しくなっており、接続具５０に取り付けられることで、排水管２００の外部と内部との通孔２０１を介した連通を遮断する遮断手段として機能する。なお、漏水が再度発生し、漏水受け具１０の再設置が必要となった場合等には、栓５５を外して接続具５０に排水路４０を接続し、漏水受け具１０を設置する。
【００５１】
受け具２０と排水管２００とを繋ぐ排水路４０は、保持具６０により、天井１００や壁等に取り付けられる。この保持部６０について、図２０を参照して説明する。保持具６０は、保持部６１と基部６２とを備えている。保持部６１は、断面円弧状の部材であり、その内径は、排水路４０の外径と略等しい。基部６２は、板状の部材であり、保持部６１の円弧の両端を取り外し可能に取り付けることができるように構成されている。保持部６１の内周面に排水路４０の外周面が当接するようにしておき、保持部６１の円弧の両端を基部６２に取り付けることで、保持具６０により排水路４０が保持される。
【００５２】
この保持具６０は、例えば基部６２に吸盤（図示せず）を設けておき、その吸盤により構造物の壁面等に取り付けられる。もしくは、基部６２を構造物の壁面等に接着したり粘着テープで張り付けたりする。こうすることで、基部６２を構造物の壁面等に残した状態で、保持部６１を取り外すことで、保持具６０から排水路４０を取り外すことができる。
【００５３】
上記構成により、本実施形態に係る漏水受け具は、以下の効果を奏する。
【００５４】
・受け部２０を吸盤３１を備える取付部３０により天井１００へ取り付けるものとしているため、漏水により天井１００が濡れている場合にも、天井１００に漏水受け具１０を取り付けることができ、且つ、その取り付けの際に天井１００を傷つけないため、新たな漏水の発生を抑制することができる。加えて、漏水受け部１０の位置を変更しようとする場合においても、粘着テープなどの取付手段を取り換えたり、天井１００の別の箇所に穴を開けたりする必要が無いため、漏水受け部１０の位置の変更を容易に行うことができる。
【００５５】
・吸盤３１は、濡れた箇所に吸着させる場合には、乾いた場所に吸着させる場合よりも吸着力が向上するのが一般的である。一方、受け部２０は、漏水が継続する場合には、その漏水により荷重がかかる。したがって、吸盤３１により受け部２０を取り付けることで、吸着力がより必要な漏水が継続する場合において、より強力な吸着力を得ることができ、且つ、漏水が停止して天井１００が乾いた場合、すなわち漏水受け具１０が不要となった場合には、吸着力が低下して漏水受け具１０の取り外しを容易にすることができる。
【００５６】
・受け部２０の排出口２２を排水路４０を介して既設の排水管２００と接続しているため、受け部２０が受けた漏水を適切に排出することができる。
【００５７】
・受け部２０を排出口２２を囲むように複数の取付部３０により取り付けているため、取付部３０に係る荷重を分散させることができ、受け部２０の落下を抑制することができる。また、取付部３０を天井１００の漏水箇所２０１の近く、すなわち湿っている可能性の高い位置に取り付けるものとしているため、吸盤３１の吸着力を向上させることができる。
【００５８】
・排水路４０を撤去する場合に保持部６１を基部６２から取り外せばよいため、排水路４０の撤去が容易になる。また、漏水のおそれがある箇所の近傍に予め基部６２を取り付けておいたり、漏水が収束した場合に基部６２を構造物に取り付けたままにしておいたりすることで、漏水が発生した場合に、素早く排水路４０を設置することができる。加えて、保持部６１や排水路４０を取り外すことができるため、漏水が発生しない場合には、歩行者等の通行の妨げ等となることを抑制でき、基部６２を壁面に残したとしても目立たないため、通路の美観を損なわない。
【００５９】
・排水管２００に通孔２０１を設ける場合、その通孔２０１を開放することにより、排水管２００からの臭いが通孔２０１を介して外部へ漏れるおそれがある。この点、本実施形態では、排水路４０を取り外した場合に接続具５０に栓５５を取り付けるものとしているため、排水管２００からの臭いの漏れを抑制することができる。
【００６０】
＜第２実施形態＞
本実施形態では、受け部２０の天井１００への取り付け方の一部が第１実施形態と異なっている。本実施形態における受け部２０の天井１００への取り付け方について、図２１を参照して説明する。
【００６１】
天井１００の漏水箇所１０１の周囲には、受け部２０が取り付けられる前に、シート７０が貼り付けられる。このシート７０は、ポリエチレンテレフタレート、ウレタンやシリコーン等の樹脂で形成された気体非透過性のもの、若しくは、金属で形成された気体非透過性のものであり、素材によっては透明であったり、天井１００と同様の意匠が施されていたりする。シート７０の天井１００と対向する側とは反対の側は、平滑な平面となっている。また、湾曲した天井１００に沿わせて貼着可能とすべく、曲面に沿って変形可能であることが必要となる場合もあるため、湾曲させることが可能である程度の厚みであることが望ましい。加えて、素材として各種の樹脂を例示したように、気体非透過性の機能については、厳密なものでなく一部の気体の通過が可能なものであってもよいし、恒久的なものでなくてもよい。すなわち漏水が発生している間において、吸盤が外れる事態を抑制できる程度のものであればよい。そして、そのシート７０に取付部３０の吸盤３１を吸着させることで、受け部２０を天井１００に取り付ける。
【００６２】
なお、保持具６０の基部６２を構造物の壁面等に取り付けるうえで吸盤を用いるものとした場合に、受け部２０を天井１００に取り付ける場合と同様に、シート７０を用いるものとしてもよい。
【００６３】
上記構成により、本実施形態に係る漏水受け具１０は、第１実施形態に係る漏水受け具が奏する効果に加えて、以下の効果を奏する。
【００６４】
・天井１００に凹凸があったりして取付部３０の吸盤３１による取り付けが困難であっても、シート７０を張り付けることで、その吸盤３１により天井１００に受け部２０を取り付けることができる。また、漏水のおそれがある箇所の近傍に予めシート７０を張り付けておいたり、漏水が収束した場合にシート７０を張り付けたままにしておいたりすることで、漏水が発生した場合に、素早く受け部２０を取り付けることができる。
【００６５】
・受け具２０や排水路４０を取り外した場合に、天井や壁面にはシート７０が残るのみであるため、漏水が発生しない場合には、歩行者等の通行の妨げ等となることを抑制できる。加えて、シート７０は一般的には目立たないものであるため、天井や壁面等にシート７０を残した場合でも、通路の美観を損なわない。
【００６６】
＜変形例＞
・実施形態では、吸盤３１を吸着可能なシート７０を天井１００に貼り付けるものとしたが、シート７０を鉄板などの磁着可能なものとし、吸盤３１の代わりに取付部３０に磁石を設けることで、受け部２０を取り付けるものとしてもよい。また、排水路４０を保持する保持具６０についても、磁石を設けるものとし、壁面や天井１００等に貼り付けた鉄板等に磁着させるものとしてもよい。
【００６７】
・実施形態では、接続具５０を介して排水路４０を受け部２０や通孔２０１に接続するものとしたが、少なくとも一方において接続具５０を用いることなく、排水路４０を直接接続するものとしてもよい。通孔２０１において、排水路４０を直接接続するものとした場合には、その通孔２０１を閉塞可能な遮蔽手段を別途設ければよい。
【００６８】
・実施形態では、接続具５０に栓５５を取り付けることで、通孔２０１の連通を遮断するものとしたが、接続具５０の内部に外部から内部への水の流入を許容し、且つ、内部から外部への空気の流出を阻止する弁等を設けるものとしてもよい。また、その弁について、排水路を接続した場合に開き、排水路を取り外した場合に閉塞する構造としてもよい。
【００６９】
・実施形態では、受け部２０の排出口２２に接続具５０を介して排水路４０を接続するものとしたが、受け部２０と排水路４０を一体に形成するものとしてもよい。また、受け部２０と所定の長さの排水路４０とを一体に形成し、必要に応じてその排水路４０を延長するように、別体の排水路４０を接続することで、排水路４０全体を構成するものとしてもよい。
【００７０】
・実施形態で示した保持具６０の構造はあくまで一例であって、種々の変更が可能であり、基部６２に相当する部分を壁面等に取り付けた状態を維持しつつ、保持部６１に相当する部材による排水路４０の保持状態と被保持状態とを変更できる構造であればよい。たとえば、排水路４０を天井１００や壁から離れた位置で保持する必要がある場合には、天井１００に基部６１に相当するフック状の部材を取り付けておき、その部材に取り付けたワイヤー等で排水路４０を吊り下げたりしてもよい。また、その基部６１に相当する部材等を吸盤で壁面や天井１００に取り付けるものとし、容易に設置及び撤去ができるものしてもよい。
【符号の説明】
【００７１】
漏水受け具…１０、受け部…２０、受け面…２１、排出口…２２、立設壁…２７、取付部…３０、吸盤…３１、排水路４０、接続具…５０、栓…５５、保持具…６０、保持部…６１、基部…６２、シート…７０、天井…１００、排水管…２００、通孔…２０１、
【図１】
2020165139.tif 000003
【図２】
2020165139.tif 000004
【図３】
2020165139.tif 000005
【図４】
2020165139.tif 000006
【図５】
2020165139.tif 000007
【図６】
2020165139.tif 000008
【図７】
2020165139.tif 000009
【図８】
2020165139.tif 000010
【図９】
2020165139.tif 000011
【図１０】
2020165139.tif 000012
【図１１】
2020165139.tif 000013
【図１２】
2020165139.tif 000014
【図１３】
2020165139.tif 000015
【図１４】
2020165139.tif 000016
【図１５】
2020165139.tif 000017
【図１６】
2020165139.tif 000018
【図１７】
2020165139.tif 000019
【図１８】
2020165139.tif 000020
【図１９】
2020165139.tif 000021
【図２０】
2020165139.tif 000022
【図２１】
2020165139.tif 000023